(57)【特許請求の範囲】
【請求項１】
室内に複数台配設されたベッド間に設置し、少なくともベッド間を仕切る方向に立設する仕切壁と、仕切壁の仕切り方向を中心軸として、一対の天板と収納装置と電気、通信電波等を供給する副雌型接続端子とを備え、キャスターを装着し移動可能とした間仕切家具であって、
間仕切家具とは別個に配設された電気、通信電波等を供給する主雌型接続端子に隣接する開口部を、間仕切家具の側面に設け、間仕切り家具内を通る、副雌型接続端子より引き出された配線コードの先端部に雄型接続端子を備え、雄型接続端子が開口部を通じて主雌型接続端子に着脱自在に接続されるとともに、雄型接続端子と主雌型接続端子との接続部が臨む操作口を具備することを特徴とする間仕切家具。
【請求項２】
壁面に固定された、主雌型接続端子を備える設備機器体に連結されていることを特徴とする請求項１記載の間仕切家具。
【発明の詳細な説明】
【技術分野】
【０００１】
本発明は、病室の大部屋や介護・養護施設の多床室のベッド間に設置する間仕切家具に関するものである。
【背景技術】
【０００２】
以前より、病室などの大部屋のベッド間に間仕切家具を設置し、患者のプライバシー空間を確保するものが知られている。  そして、このような間仕切家具には、収納機能やテーブルが設置されているのが一般的であるが、他に、電気や通信コード等を、壁面や壁面に設置された家具より間仕切家具内に引き込み、テレビや照明スタンド等に、電気や電波を供給する接続端子を具備したものがある。また間仕切家具の下面にキャスターを設け、ベッドの搬入、搬出時に、障害にならない程度に移動可能としたものが知られている。（例えば、特許文献１参照。）
【先行技術文献】
【特許文献】
【０００３】
【特許文献１】特開２００６−１７４９５５号公報
【発明の概要】
【発明が解決しようとする課題】
【０００４】
しかしながら、接続端子を備えた間仕切家具に、キャスターを設け、移動可能したとしても、接続端子に繋がる電気や通信等の配線コード等が、壁面や壁面に設置された家具から間仕切装置内に引き込まれており、配線コード等によって、間仕切家具と、壁面や壁面に設置された家具とが、常に繋がった状態であるため、大きな移動は出来なかった。そのため、床面のクリーニングがし難くいことばかりでなく、間仕切家具のクリーニングを、病室から離れた専用の場所に移動して行なう場合、その都度、電気工事を行ない、配線コード等を切り離さなければならないため、多くの手間がかかるといった問題点がある。
【０００５】
本発明は、このような問題点に鑑み、電気、通信電波等を供給する接続端子を具備したものであっても、容易に移動が出来る、使い勝手の良い間仕切家具を提供することを課題とする。
【課題を解決するための手段】
【０００６】
そこで、上記課題を解決する為、本発明が第１の手段として構成したところは、室内に複数台配設されたベッド間に設置し、少なくともベッド間を仕切る方向に立設する仕切壁と、仕切壁の仕切り方向を中心軸として、一対の天板と収納装置と電気、通信電波等を供給する副雌型接続端子とを備え、キャスターを装着し移動可能とした間仕切家具であって、
間仕切家具とは別個に配設された電気、通信電波等を供給する主雌型接続端子に隣接する開口部を、間仕切家具の側面に設け、間仕切り家具内を通る、副雌型接続端子より引き出された配線コードの先端部に雄型接続端子を備え、雄型接続端子が開口部を通じて主雌型接続端子に着脱自在に接続されるとともに、雄型接続端子と主雌型接続端子との接続部が臨む操作口を具備する間仕切家具である。
【０００７】
次に、上記課題を解決する為、本発明が第２の手段として構成したところは、第１の手段に加え、主雌型接続端子を備え、壁面に固定される設備機器体に連結できるものである。
【発明の効果】
【０００８】
請求項１に記載の発明によると、間仕切家具の雄型接続端子が、間仕切家具とは別個に配設された主雌型接続端子に着脱自在に接続されているので、間仕切家具の移動時には、雄型接続端子を主雌型接続端子から簡単に分離でき、間仕切家具の移動を簡単に行なえ、配線コードは、間仕切家具内に収められており、雄型接続端子と主雌型接続端子の接続は、主雌型接続端子に隣接する開口部より行なうので、配線コードが外部に露出することがなく、床面に接触することがないので、埃や汚れの付着を防止でき院内感染の防止に効果を奏する。
また、操作口より、雄型接続端子と主雌型接続端子の接続部を臨むことができるので、雄型接続端子と主雌型接続端子の着脱が操作口と通じて容易に行なえる。
【０００９】
請求項２に記載の発明によると、間仕切家具が、壁面に固定される設備機器体の所定の位置に連結することができるので、間仕切家具が不測に動くことを防止できるとともに、設備機器体に主雌型接続端子が設けられているので、間仕切家具の開口部を、確実に主雌型接続端子に隣接させることができ、容易かつ確実に、雄型接続端子を主雌型接続端子に接続することができる。
【図面の簡単な説明】
【００１０】
【図１】本発明の間仕切家具の使用例を示す斜視図である。
【図２】本発明の設備機器体と間仕切家具と補助間仕切家具を切り離した状態を示す斜視図である。
【図３】本発明の設備機器体と間仕切家具と補助間仕切家具を連設した状態を示す正面図である。
【図４】本発明の間仕切家具をベッドの枕元側からみた側面図である。
【図５】図３のＡ−Ａ線断面図である。
【図６】本発明の補助間仕切家具をベッドの枕元側からみた斜視図である。
【図７】本発明の補助間仕切家具の他の実施例を示す斜視図である。
【図８】本発明の図３のａ部拡大図である。
【図９】本発明の図３のｂ部拡大図である。
【図１０】本発明の間仕切家具の操作具と連結体の作動関係を示す要部正面図である。
【図１１】本発明の間仕切家具の連結体と設備機器体の掛かり部が係合した状態を正面から見た状態を示す要部断面図である。
【図１２】本発明の間仕切家具の操作レバーをスライドさせて突出体を格納した状態を示す要部拡大斜視図である。
【図１３】本発明の間仕切家具の操作レバーをスライドさせて突出体を突き出した状態を示す要部拡大斜視図である。
【図１４】本発明の間仕切家具の接続ボックスから雄型接続端子を設備機器体の主雌型接続端子に接続した状態を正面から見た状態を示す要部断面図である。
【図１５】本発明の間仕切家具の接続ボックスの操作口の蓋体を開放して、雄型接続端子を設備機器体の主雌型接続端子から分離した状態を正面から見た状態を示す要部断面図である。
【発明を実施するための形態】
【００１１】
ベッド間を仕切る方向、すなわちベッドの長尺方向を左右方向とし、左右方向に延びる前後一対の天板と、天板の左右両端部にそれぞれ配置された板状の脚体と、脚体の下面付近に配設されたキャスターと、前後一対の天板の上方の空間に配設された、天板を前後に仕切る上部仕切壁と、天板の下方の空間に配設された、空間を前後に仕切る下部仕切壁と、上部仕切壁の左右略中央部に配設された上部収納装置と、下部仕切壁の左右略中央部に配設された下部収納装置と、テレビや照明器具やパソコン等に電気、通信電波等を供給する副雌型接続端子と、間仕切家具とは別個に設置された、電気、通信電波等を供給する主雌型接続端子に隣接する開口部と、開口部を通じて主雌型接続端子に着脱自在に接続する雄型接続端子と、雄型接続端子の着脱操作を行なう操作口とを備えた間仕切家具である
【００１２】
以下、実施例を添付図面に基づいて詳述する。
本発明に係る間仕切装置１は、図１に示すように、病室の大部屋や介護・養護施設の多床室のベッドＢの間に設置し、患者のプライバシー空間を確保するものである。
【実施例１】
【００１３】
第１実施例の間仕切装置１は、ベッドＢの長尺方向に平行して配設され、ベッド枕元側の壁面Ｗに設置された設備機器体２と、設備機器体２に連設され、ベッド間を仕切る間仕切家具３と、間仕切家具３のベッドの足元側に連設される補助間仕切家具４とで構成されており、ベッドの長尺寸法と略同じ長さに設定されている。
【００１４】
設備機器体２は、ベッドの枕元側の壁面Ｗに固定され、壁面Ｗの対向側、すなわち設備機器体２の正面側が、開口された断面略コの字型で床面から天井面まで延伸する配管・配線ボックス２１と、間仕切家具３の前後奥行き寸法と略同じ幅であって、配管・配線ボックス２１と略同じ高さで、前記開口を隠蔽しうるように着脱自在に取付けられた、正面パネル２２とで構成され、配管・配線ボックス２１の内部空間２１１には、医療ガス配管や電線等が配設され、医療ガス配管は、配管・配線ボックスの開口側から見た左右側面側に、それぞれ設けられた医療ガスアウトレット２１２・・・に接続され、電線類は、正面パネル２２下方部の略床面付近の両側面寄りに設けられた主雌型接続端子２１３、２１３と、配管・配線ボックスの左右側面に設けられた雌型接続端子２１４・・・に接続され、医療ガスや電気、通信電波等の供給を行なっている。
【００１５】
正面パネル２２には、正面側中央部の上下に渡り、溝部２２１が設けられており、溝部２２１の所定の位置に、後述する間仕切家具３に設けられた連結片３０２に対応する、掛かり部２２２が設けられ、正面側の所定の位置に、医療用の吸引ビンを取付けるフック２２３、２２３が、左右側面寄りに設けられている。したがって、設備機器体２は略左右対称に構成されており、間仕切装置１で仕切られた、左右の患者に対して個別に医療ガスや電気、通信電波等の供給を行なえるものである。
【００１６】
間仕切家具３は、ベッド間を仕切る方向、すなわちベッドの長尺方向を左右方向とし、左右方向に延びる、前後一対の天板３１、３１と、天板３１、３１の左右両端部に、板状の、ベッド足元側の脚体３２、ベッド枕元側の脚体３３を備え、前記天板３１、３１の上方の空間には、天板を前後に仕切る上部仕切壁３４が配設され、天板３１、３１の下方の空間には、空間を前後に仕切る下部仕切壁３５が配設されている。
【００１７】
上部仕切壁３４の左右中央部付近には、天板の上にテレビが設置できる程度の設置空間Ｓ１を設け、その上方に前後一対の上部収納装置３６、３６が取付けられており、下部仕切壁３５の左右中央部付近には、前後一対の下部収納装置３７、３７が配設され、下部収納装置の下面と床面間に、足元空間Ｓ２が設けられている。
これらの構成によって、間仕切家具３の左右脚体３２、３３の間に、左右が連続するとともに、床面とつながる開放空間Ｓ３が設けられ、車椅子患者のつま先部の取り廻しをし易くし、床掃除が容易になるように配慮されている。
【００１８】
上部収納装置３６は、上板３６１と左右の側板３６２、３６２と底板３６３と背板３６４で構成された筐体で、前面側が開口とされ、開口が開き戸式扉３６５、３６５で閉塞されている。
【００１９】
下部収納装置３７は、上板３７１と左右の側板３７２、３７２と底板３７３と背板３７４とで構成された筐体で、前面側が開口とされ、開口が開き戸式扉３７５、３７５で閉塞されている。
【００２０】
側板３７２、３７２は、底板３７３より下方まで延伸し、底板３７３の下面より、前記開放空間Ｓ３の妨げにならない程度に突出した状態とされ、この突出した部分の前面側の角部が側面視アール状に施され、直角で構成された筐体の角部をなくし、車椅子患者のつま先部等が当たっても、怪我をし難いように配慮されている。
したがって、側板３７２、３７２を延伸する代わりに、開き戸式扉３７５、３７５の下端を延伸し、開き戸式扉３７５、３７５の下部角部を正面視アール状に施してもよい（図示せず）。
【００２１】
上部収納装置３６と下部収納装置３７の前面の開口は、引き戸式扉や、開き戸式扉、シャッター式扉などの閉塞手段で閉塞してもよく、閉塞手段を用いずオープン型の収納としてもよい（図示せず）。
【００２２】
上部収納装置３６で区切られた上部仕切壁３４のうち、ベッドの足元側の所定場所には、半透明の樹脂製の採光板３４１が嵌め込まれ、採光性が保たれ、ベッドの枕元側は、不透明パネルとされ、患者の眩しさに対して配慮しており、下部仕切壁３５は、不透明パネルとされている。
これらの仕切壁部は、病室のレイアウトや照明器具の配置に応じて、半透明、不透明を使い分けてもよく、用途に応じて、鏡やホワイトボード、ピンナップボードを設置してもよい。
【００２３】
そして、上部仕切壁３４の下方部には、テレビや照明器具やパソコン等に電気、通信電波等を供給する副雌型接続端子３４２が備えられており、この副雌型接続端子３４２に電気、通信コード等の配線コード３４３が接続され、配線コード３４３は、上部仕切壁３４と下部仕切壁３５の内部に設けられた配線空間３５３を通され、後述する接続ボックス３９４内まで延長されており、端部には、雄型接続端子３４４が取付けられる。
下部仕切壁３５には、配線空間３５３内をメンテナンスする、メンテナンスパネル３５８が着脱自在に設けられている。
【００２４】
また、配線空間３５３を利用して、テレビや照明器具やパソコン等の余剰コードが格納され、余剰コードを格納する際の開口部を閉塞する閉塞蓋３４５と、閉塞蓋３４５には、余剰コードの出入口３４６が設けられ、余剰コードに埃が付着するのを防止し、院内感染防止に対して配慮されている。
【００２５】
副雌型接続端子３４２は、上部仕切壁３４の下方部でなくとも、天板の上面や下部収納装置３７の側面など、用途に合わせて適宜配設してもよい。
【００２６】
次に、天板３１のうち、上部収納装置３６を挟み、ベッドの足元側の天板３１１は、チェア６を配設することにより、患者用デスクとして使用され、ベッドの枕元側、すなわち設備機器体２側が、主に看護師用の作業台３１２として使用される。
そして、上部収納装置３６の下部側の天板３１３は、主にテレビなどの機器が載置される。
【００２７】
患者用デスク部の天板３１１の左右幅は、椅子が収納できる程度であり、奥行き寸法は、Ａ４用紙を縦向きに置き筆記ができる最小限の大きさとされ、患者の移動時に障害にならないように配慮されている。
【００２８】
作業台３１２は、設備機器体２に隣接され、血圧計などの小型の装置を置き、設備機器体２に対して電源の接続を行う時や、吸引ビン交換準備といった時に、一時的に利用されるものであり、前記患者用デスクに比べ、さらに奥行き寸法が抑えられ、立ち作業を行なう看護師の邪魔にならないように配慮されている。
【００２９】
このように、壁面Ｗに設置された設備機器体２と隣接した場所に作業台３１２を備えることにより、看護師の作業をスムーズに行なうことが可能となる。
また、用途に合わせて作業台上部や下部にフックや棚板を設置することも可能である。その場合、当然のごとく、設備機器体２の使用に支障が生じない範囲で設置しなければならない。
【００３０】
ベッド足元側の脚体３２の下部に、脚体３２の前後長と略同じ長さであって、間仕切家具３の荷重を支える所定の厚みと左右幅を有する、ベース板３８が取付けられ、ベース板３８の前後両端部付近の下面にストッパー付キャスター６０、６０が装着されている。
また、下部仕切壁３５の左右方向中央付近下面には、中央部の荷重を支えるキャスター６１が装着されている。
【００３１】
そして、ベッドの枕元側の脚体３３下部に、下部仕切壁３５の前面から延伸し、間仕切家具３の荷重を支える所定の厚みと左右幅を有する、底板３９が取付けられ、脚体３３と、底板３９と、脚体３３に対向する側に立設する構成板３９２とで、上側が開口とされた段面コの字の配線空間３９３が形成され、この配線空間３９３の上側開口、配線空間３９３の前端部が、閉塞板で閉塞されて接続ボックス３９４が形成されている。
接続ボックス３９４内には、前述の通り、端部に雄型接続端子３４４が取付けられた配線コード３４３が配設され、接続ボックス３９４の前端部付近の下面には、ストッパー付キャスター６０が装着されている。
下部仕切壁３５の後面側にも、接続ボックス３９４が、同様に構成されている。
【００３２】
接続ボックス３９４、３９４のベッドの枕元側の脚体３３は、隣接する設備機器体２の正面パネル下方部の略床面付近の両側面寄りに、それぞれ設けられた主雌型接続端子２１３、２１３が臨む開口部３９５、３９５が設けられ、この対向側の構成板３９２、３９２には、この開口部３９５、３９５が臨むように、操作口３９６、３９６が設けられている。
そして、この操作口３９６、３９６には、開閉自在に、蓋体３９７、３９７が設けられており、通常の使用時は閉じられている。
【００３３】
したがって、蓋体３９７を開放し、操作口３９６より、接続ボックス３９４内の配線コード３４３の端部に設けられた雄型接続端子３４４を、開口部３９５より臨む、主雌型接続端子２１３に差し込むと、間仕切家具３に設けられた、副雌型接続端子３４２に電気、通信電波等が供給されることとなる。
【００３４】
このように、配線コード３４３は、接続ボックス３９４内の配線空間３９３を通され、主雌型接続端子２１３に接続されるので、外部に露出することがなく、埃が付着し難いばかりでなく、床面に触れることがないので、院内感染の防止の対策として有効である。
【００３５】
接続ボックス３９４は、このような形態に捉われることはなく、間仕切家具３と別個に設置された、主雌型接続端子２１３を臨むことができる開口部３９５と、雄型接続端子３４４を主雌型接続端子２１３に差し込むことが可能な操作口があればよく、例えば、接続ボックス３９４を上下左右方向に大きく構成し、内部に収納部と操作口を設け、前端部に扉を設置し、収納装置と共用してもよい。
【００３６】
間仕切家具３のベッドの枕元側の端部には、間仕切家具３と略同じ高さの突設体３０が設けられており、連設時には、突設体３０が設備機器体２の正面パネル２２に設けられた溝部２２１に挿入され、設備機器体２と間仕切家具３との連設部に生じる隙間、明かり漏れを防いでいる。
【００３７】
また、この突設体３０の先端の所定の場所には、図１０、図１１に示す如く、上部仕切壁３４のベッドの枕元側に設けられた、操作具３０１の回動操作に連動して、鎌状の連結片３０２が突出する連結装置が設けられており、突出した連結片３０２は、設備機器体２の正面パネルの溝部２２１に設けられた、掛かり部２２２に係合するように施されている。
【００３８】
間仕切家具３の突設体３０が設備機器体２の正面パネル２２の溝部２２１に挿入された状態、すなわち設備機器体２に間仕切家具３が連設された状態で、操作具３０１を回動させると、連結片３０２が、掛かり部２２２に係合し、間仕切家具３と設備機器体２が連結状態となり、間仕切家具３が不測に動くことを防止できる。
尚、掛かり部２２２を、設備機器体２の正面パネル２２の溝部２２１ではなく壁面Ｗに設けることによって、間仕切家具３を壁面Ｗと連結することも可能である。
【００３９】
間仕切家具３のベッドの足元側の脚体３２の前後方向の略中央部の下部と、上部仕切壁３４の上部には、それぞれ上側と下側が開口とされた、コの字型の一対の係合片３４７、３４７が、ベッドの足元側に突出して取付けられており、この係合片３４７、３４７に係合する状態で、補助間仕切家具４が連設されている。
【００４０】
また、間仕切家具３の上部仕切壁３４のベッドの足元側の所定の場所には、図１２、図１３に示す如く、操作レバー３４８のスライド操作に連動して、棒状の突出体３４９が、上部仕切壁３４のベッドの足元側端面より突出するロック装置が設けられており、突出した突出体３４９は、後述する補助間仕切家具４の端面に設けられた係止孔４８に挿入するように施されている。
【００４１】
補助間仕切家具４は、上板４１と底板４２とベッドの足元側と枕元側の左右に配設される側板４３、４４で、前面と後面が開口された収納部を形成し、収納部を前後に仕切る仕切板４５を設け、間仕切家具３の天板高さよりやや低い高さに設定された収納体４０１を構成し、収納体４０１の上部に、上端が、間仕切家具３の高さと略同じ高さになる、補助仕切壁４６が配設され、ベッドの足元側の側板４３が、補助仕切壁４６と上端が略同じ高さになるまで延伸され、底板４２下面四隅に、ストッパー付キャスター４７が装着されて自立するものである。
【００４２】
補助仕切壁４６には、半透明の樹脂製の採光板４６１が嵌め込まれ、採光性が保たれており、上部にはコートフック４６２を備え、ベッド足元付近の間仕切り機能に加え、見舞い者用の荷物置場として利用される。
【００４３】
補助間仕切家具４のベッドの枕元側端部の上下面、すなわち補助仕切壁４６の上面と側板４４の下面にはそれぞれ、上側と下側が開口とされた上側係合溝４６３、下側係合溝４４１が形成されており、それぞれの係合溝には、断面Ｌ字状のアングル材４６４、４４２が取付けられ補強されている。
【００４４】
上側係合溝４６３は、補助仕切壁４６の前後の厚みと等しく、下側係合溝４４１は、側板４４の前後長と等しく、前面側、後面側のそれぞれから臨むように、端部が開放されている。
【００４５】
下側係合溝４４１の長さは、補助間仕切家具４を、ベッドの搬出時に障害にならない位置まで移動できるように設定されており、より具体的には、間仕切装置の通常の使用状態から、前後にそれぞれ、１５〜２５センチメートルの移動量を確保できる長さに設定する方が望ましい。
移動量が少ないと、ベッドの搬出時に障害となり、移動量が多くても、移動側にスペースがなければ無駄になるが、室内のレイアウトにより、移動量が少なくともベッドの搬出時に障害ならない場合や、移動量が多くても十分に移動スペースが確保できる場合もあり、室内のレイアウトに合わせて、下側係合溝４４１の長さを１５〜２５センチメートルの移動量に捉われず適宜設定してもよい。
【００４６】
補助間仕切家具４の上側係合溝４６３と、下側係合溝４４１の前面側端部から、上側係合溝４６３と下側係合溝４４１を通して、間仕切家具３に設けられた前記係合片３４７、３４７が臨む位置に、補助間仕切家具４を仮配設し、補助間仕切家具４を、後方側に移動させることにより、下側係合溝４４１に、下側の係合片３４７が係合し、下側係合溝４４１と下側の係合片３４７の係合によって、移動方向が規制され、さらに移動を続けると、上側係合溝４６３に上側の係合片３４７が係合し、補助間仕切家具４と間仕切家具３は、連設状態とされ、補助間仕切家具４が、左右側に動くことを規制する。当然ながら、補助間仕切家具４の前面側を係合片３４７の後方側から前方側に移動させてもよい。
このように、移動方向は、下側係合溝４４１と下側の係合片３４７の係合によって規制され、上側係合溝４６３と上側の係合片３４７に係合によって、補助間仕切家具４の傾倒が防止される。
また、前後方向の移動をスムーズに行なうため、上側係合溝４６３と下側係合溝４４１と係合片３４７、３４７は、ある程度の余裕をもって係合している。
【００４７】
さらに、補助間仕切家具４のベッドの枕元側端面の所定の位置には、間仕切家具３に設けられた突出体３４９に対応する位置に、係止孔４８が設けられ、前述のとおり、間仕切家具３と補助間仕切家具４が連設された状態で、操作レバー３４８をスライド操作すると、突出体が係止孔４８に挿入され、補助間仕切家具４の移動が、左右側に加え、前後側も規制されるので、補助間仕切家具４が不測に動くことを防止できる。
【００４８】
補助間仕切家具４のベッドの枕元側端面には上下に渡り、植毛加工が施されたゴム製のパッキン材４９が設けられ、間仕切家具３と補助間仕切家具４の、連設時の前後方向の移動による擦り傷の防止と、連設部の隙間、明かり漏れを防止している。
【００４９】
補助間仕切家具４は、図７で示されるように収納体や側板を設けず、補助間仕切５１と底板５２のみとした補助間仕切家具５としてもよい。この場合は、下側係合溝５１１は、底板５１のベッド枕元側の下面に設けられ、補助間仕切壁５１のベッド枕元側の上面に上側係合溝５２１が設けられる。
当然のごとく、底板５２の上面は、物品の載置部として使用できる。
【００５０】
補助間仕切家具４の前後方向の移動は、下側係合溝４４１と、間仕切家具の下側の係合片によって可能とされているが、下側係合溝４４１は、必ずしも補助間仕切家具４の下部に設置される必要はなく、上板４１を間仕切家具３側に突出させて、上板４１の下面に下側係合溝を設け、係合片３４７を対応した位置に設けて係合させてもよく、係合方法も、係合片３７４に代わり、ローラーを使用して、よりスムーズに移動させる方法も考えられ、移動方向の規制と前後方向の移動量の確保が可能であれば、係合部の設置場所、係合方法を選ばない。
【００５１】
本発明の第１実施例の間仕切装置１は、上記の如く構成され、通常、病室の大部屋や介護・養護施設の多床室のベッド間に設置し、患者のプライバシー空間を確保する間仕切りとして使用される。
【００５２】
前述の通り、連設された間仕切装置１は、ベッドの長尺寸法と略同じ長さに設定されており、別途、ベッドの足元側にベッドと直行するように、カーテンが吊下げられ、間仕切装置とカーテンとで個室風の雰囲気を醸し出すことが可能となる。
【００５３】
そして、床面全面のクリーニングを行う場合や、間仕切家具３や補助間仕切家具４のクリーニングを行なう場合には、まず、間仕切装置１の使用状態で、間仕切家具３の操作レバー３４８を操作し、補助間仕切家具４の前後の移動規制の解除を行ない、ストッパー付キャスター４７のストッパーを解除した後、補助間仕切家具４を、前後いずれかに移動させ、間仕切家具３から分離し、クリーニングを行う所定の場所まで移動する。
次に間仕切家具３の接続ボックス３９４の蓋体３９７を開放し、操作口３９６より、接続ボックス３９４内の配線コード３４３の雄型接続端子３４４を、開口部３９５より臨む主雌型接続端子２１３から抜き取り、接続ボックス内に収めた状態で、蓋体３９８を締める。そして、間仕切家具３の操作具３０１を回動させ、連結片３０２と掛かり部２２２の係合状態を解除し、ストッパー付キャスター６０のストッパーを解除した後、間仕切家具３を設備機器体２より分離し、間仕切家具３を、クリーニングを行う所定の場所まで移動する。
したがって、配線コード３４３は、接続ボックス３９４に収められているので、移動中も、床面に引き摺られることがなく衛生的である。
このように、間仕切家具３と補助間仕切家具４が移動されると、床面と設備機器体２の、間仕切家具３と補助間仕切家具４で隠されていた部分が、完全に露出した状態となり、クリーニングを確実、容易に行なうことが可能である。
【００５４】
また、ベッドの搬出時には、間仕切装置１の使用状態で、間仕切家具３の操作レバー３４８をスライド操作し、補助間仕切家具４の前後の移動規制の解除を行ない、補助間仕切家具４のストッパー付キャスター４７のストッパーを解除し、補助間仕切家具４を前方から後方へ押し込むと、補助間仕切家具４は、下側係合溝４４１と下側の係合片３４７の係合によって規制された方向、すなわち、後方側に移動する。
そして、補助間仕切家具４が、ベッドの搬出に障害にならない位置（第１実施例の場合は、前後方向にそれぞれ１５〜２５センチメートルほど）まで移動させる。
この状態で、補助間仕切家具４は、ベッドの搬出時の障害とならない位置まで、退避されることとなり、ベッドの搬出がスムーズに行なえる。
室内のレイアウト等により、ベッドの搬出時に、さらに多くのスペースが必要な場合は、補助間仕切家具４の下側係合溝４４１を、下側の係合片３４７から係脱させ、補助間仕切家具４と間仕切家具３を分離し、補助間仕切家具４を障害にならない場所まで移動させる。
【産業上の利用可能性】
【００５５】
以上のように、本発明は、病室の大部屋や介護・養護施設の多床室のベッド間に設置し、患者のプライバシー空間を確保する間仕切装置にかかわるものであり、間仕切機能に加え、収納装置、患者用デスク、看護師用の作業台ならびに電気、通信電波等の供給端子が具備され、かつ移動が容易に行なえるものであるため、病室の大部屋や介護・養護施設の多床室の患者のプライバシー空間を確保する間仕切りとして広く利用することができる。
【符号の説明】
【００５６】
Ｂ                ベッド
Ｗ                壁面
２                設備機器体
３                間仕切家具
２１３            主雌型接続端子
３４２            副雌型接続端子
３４４            雄型接続端子
３９５            開口部
３９６            操作口
【図１】
0005524025.tif 000002
【図２】
0005524025.tif 000003
【図３】
0005524025.tif 000004
【図４】
0005524025.tif 000005
【図５】
0005524025.tif 000006
【図６】
0005524025.tif 000007
【図７】
0005524025.tif 000008
【図８】
0005524025.tif 000009
【図９】
0005524025.tif 000010
【図１０】
0005524025.tif 000011
【図１１】
0005524025.tif 000012
【図１２】
0005524025.tif 000013
【図１３】
0005524025.tif 000014
【図１４】
0005524025.tif 000015
【図１５】
0005524025.tif 000016